(57)【要約】【課題】より大きな電圧レベルのノイズが入力された場合でも、高い電圧の出力を抑制するノイズフィルタを提供する。【解決手段】このノイズフィルタは、第１および第２のキャパシタと、コモンモードコイルとを有する。コモンモードコイルは、第１のキャパシタの一端と第２のキャパシタの一端との間に直列接続されたチョークコイルと、第１のキャパシタの他端と第２のキャパシタの他端との間に直列接続されたチョークコイルとが、共通の磁性体に並列して同一の巻回数だけ対称状態に巻き付けられてなる。【選択図】図１
0003124011.tif 000002
【実用新案登録請求の範囲】
【請求項１】
電源または信号の少なくとも一方が供給されるニ本のラインに接続され、かつ、前記ラインに接続された回路ユニットに並列接続されたノイズフィルタにおいて、
前記二本のラインのそれぞれに接続された端子を両端として接続された第１のキャパシタと、
前記第１のキャパシタに並列接続された第２のキャパシタと、
前記第１のキャパシタの一端と前記第２のキャパシタの一端との間に直列接続されたチョークコイルと、前記第１のキャパシタの他端と前記第２のキャパシタの他端との間に直列接続されたチョークコイルとが、共通の磁性体に並列して同一の巻回数だけ対称状態に巻き付けられてなるコモンモードコイルと
を有することを特徴とするノイズフィルタ。
【考案の詳細な説明】
【技術分野】
【０００１】
本考案は、ノイズフィルターに関する。
【背景技術】
【０００２】
一般的に、ノイズの影響を受けた場合、例えば、電子機器の誤動作、画像や音声の乱れ、通信速度の低下、さらには機器自体故障などいった好ましくない現象が起こる。ノイズフィルタは、電子機器やケーブルなどに外部から侵入するノイズ電流を低減させるために重要な部品である。ノイズフィルタとして、コモンモードコイルが用いた回路があるが、高周波のノイズ電流には対応しきれれず、これらの影響による電圧の変化を抑制できない。
【考案の開示】
【考案が解決しようとする課題】
【０００３】
本考案の目的は、コモンモードコイルで吸収しきれない高周波のノイズ電流が発生した場合でも、これらの影響による電圧の変化を抑制するノイズフィルタを提供することである。
【課題を解決するための手段】
【０００４】
かかる課題を解決するために、本考案は、電源または信号の少なくとも一方が供給されるニ本のラインに接続され、かつ、二本のラインに接続された回路ユニットに並列接続されたノイズフィルタを提供する。このノイズフィルタは、第１および第２のキャパシタと、コモンモードコイルとを有する。第１のキャパシタは、二本のラインのそれぞれに接続された端子を両端として接続される。第２のキャパシタは、第１のキャパシタに並列接続される。コモンモードコイルは、第１のキャパシタの一端と第２のキャパシタの一端との間に直列接続されたチョークコイルと、第１のキャパシタの他端と第２のキャパシタの他端との間に直列接続されたチョークコイルとが、共通の磁性体に並列して同一の巻回数だけ対称状態に巻き付けられる。
【考案の効果】
【０００５】
本考案によれば、コモンモードコイルを構成する二本のコイルの両端に、それぞれ異なる２つのキャパシタが接続されている。これにより、コモンモードコイル４間で発生される高周波のノイズ電流を吸収することができる。
【考案を実施するための最良の形態】
【０００６】
図１は、本実施形態にかかるノイズフィルタの構成図である。電源または信号の少なくとも一方が供給される複数のラインＬ1，Ｌ2（電源線や信号線）には、回路ユニット１が接続されている。回路ユニット１は、例えば、家電機器、ＯＡ機器またはＦＡ機器における電源回路や信号回路である。ノイズフィルタ２は、第１および第２のキャパシタ３ａ，３ｂと、コモンモードコイル４と、バリスタ５と、第１および第２の抵抗６ａ，６ｂと、ダイオード７と、発光ダイオード８とを有する。ノイズフィルタ２は、回路ユニット１から供給される２本のラインのそれぞれに対して設けられた２つの入力端子Ａ，Ｂを介して接続される。
【０００７】
第１のキャパシタ３ａは、いわゆる一般的なコンデンサであり、２つの入力端子Ａ，Ｂに対して直列に接続されている。第２のキャパシタ３ｂは、第１のキャパシタ３ａと同様に、いわゆる一般的なコンデンサであり、第１のキャパシタと並列して接続されている。
【０００８】
コモンモードコイル４は、第１のキャパシタ３ａの一端（入力端）と第２のキャパシタ３ｂの一端（入力端）との間に直列接続されたチョークコイルと、第１のキャパシタ３ａの他端（出力端）と第２のキャパシタ３ｂの他端（出力端）との間に直列接続されたチョークコイルとが、共通の磁性体（フェライト・コア）に並列して同一の巻回数だけ巻き付けられる。これにより、第１のキャパシタ３ａと、第２のキャパシタ３ｂは、コモンモードコイル４を挟んで並列に接続されるライン間コンデンサである。コモンモードコイル４に用いられる磁性体は単一材料で形成されている。
【０００９】
この２つのチョークコイルは、それぞれ交流電流の流れをふさぐ性質があり、共通の磁性体に対称方向に巻かれている。２つのチョークコイルに電流が流れると、磁性体に磁束が発生する。したがって、コモンモードコイル４は、急激な電流変化に対して電流を阻止するブレーキのような役割を果たす（インダクタの自己誘導作用）。一般的に、ノイズ電流（コモンモード電流）は、同方向に流れるため、磁性体に発生する磁束は合成されて強め合う。その結果、ブレーキ作用が強くなるのでノイズ電流の通過が阻止される。
【００１０】
バリスタ５は、第１のキャパシタ３ａと並列に接続されている。このバリスタ５は、ノイズフィルタ２上における高電圧のノイズの一定成分を除去する。つまり、バリスタ５は、高電圧によるノイズフィルタ２の故障から回避（保護）する機能を有する。
【００１１】
第１の抵抗６ａは、第１および第２のキャパシタ３ａ，３ｂと並列に接続されている。この第１の抵抗６ａは、全ての素子のインピーダンスを補正して、入力端子Ａ，Ｂ側におけるノイズフィルタ２側にスムーズかつ確実に引き込むために設けられている。また、第２の抵抗６ｂも、第１の抵抗６ａと同様に、第１および第２のキャパシタ３ａ，３ｂとともに、並列に接続されているが、入力端子Ａ，Ｂから見て、コモンモードコイル４の奥側（先）に接続されている。この第２の抵抗６ｂは、後述するダイオード７および発光ダイオード８にスムーズかつ確実に引き込むために設けられている。
【００１２】
ダイオード７は、第２の抵抗６ｂと直列に、かつ、入力端子Ａから入力端子Ｂへの電流の方向を順方向として接続されており（ノーマル電流）、一端（入力側）はキャパシタ３ｂの入力側に、他端は第２の抵抗６ｂに接続されている。ダイオード７は、抵抗６ｂに流れる逆方向への電流を調整（遮断）する。発光ダイオード８は、ダイオード７と同様に、第２の抵抗６ｂと直列に、かつ、入力端子Ａから入力端子Ｂへの方向を順方向として接続されているが、その一端（入力側）は第２の抵抗６ｂの入力側に、他端はキャパシタ３ｂの出力側に接続されている。発光ダイオード８は、ダイオード７と同様に、抵抗４ｂに流れる逆方向への電流をさらに調整（遮断）するとともに、ノイズフィルタ２が機能しているか否か（ノイズフィルタ２において順方向に電流が導通しているか否か）が発光体の点滅により表示する。
【００１３】
本実施形態によれば、コモンモードコイル４を構成する２本のコイルの両端に、それぞれ異なる２つのキャパシタ３ａ，３ｂが接続されている。また、そもそもキャパシタ自体、高周波のノイズ電流を除去するのに適している。したがって、コモンモードコイル４で吸収しきれない高周波のノイズ電流を吸収することができる。また、ノイズ電流が有効にキャパシタ３ａ，３ｂに取り込まれるので、より大きな容量を存在させることで、広帯域においてより良好な周波数減衰特性が得られる。
【００１４】
なお、上述した実施形態では、コモンモードコイル４に用いられる磁性体は単一材料で形成しているが、複数の種類の磁性体によって形成された複合体であってもよい。
【図面の簡単な説明】
【００１５】
【図１】本実施形態にかかるノイズフィルタの構成図
【符号の説明】
【００１６】
１  回路ユニット
２  ノイズフィルタ
３ａ，３ｂ  キャパシタ
４  コモンモードコイル
５  バリスタ
６ａ，６ｂ  抵抗
７  ダイオード
８  発光ダイオード
Ａ，Ｂ  入力端子
【図１】
0003124011.tif 000003